(57)【特許請求の範囲】
【請求項１】
電子機器の筐体に開口部を有する電池収納凹部を形成し、前記電池収納凹部の底部にスプリングの一端側を載置すると共に、前記スプリングの他端側に電池受け台を載置することによって、前記電池受け台が前記電池収納凹部内を前記開口部に対して往復動可能に設置され、前記電池収納凹部内において、互いにサイズの異なる大小の電池を前記電池受け台上に載置することによって選択収納して、これら電池を筐体にそれぞれ取付けた端子板及び端子バネ間に電気的に接続保持可能に構成すると共に、前記端子バネにおける端子部を、互いにサイズの異なる大小の電池用として、それぞれ設置位置を異ならせて別々に設けたことを特徴とする電子機器における電池収納装置。
【請求項２】
電子機器の筐体に開口部を有する電池収納凹部を形成し、前記電池収納凹部の底部にスプリングの一端側を載置すると共に、前記スプリングの他端側に電池受け台を載置することによって、前記電池受け台が前記電池収納凹部内を前記開口部に対して往復動可能に設置され、前記電池受け台の互いに対向する一対の側壁を、前記筐体に揺動可能に設けた一対の爪片に係止することにより、前記電池受け台を２段階の位置に保持させるように構成して、前記電池収納凹部内において、互いにサイズの異なる大小の電池を、前記電池受け台と前記筐体の開口部を覆うカバー体の間で挟着保持し前記電池収納凹部内に選択収納して、これら電池を前記筐体にそれぞれ取付けた端子板及び端子バネ間に電気的に接続保持可能に構成すると共に、前記端子バネにおける端子部を、互いにサイズの異なる大小の電池用として、それぞれ設置位置を異ならせて別々に設けたことを特徴とする電子機器における電池収納装置。
【請求項３】
電子機器の筐体に開口部を有する電池収納凹部を形成し、前記電池収納凹部の底部にスプリングの一端側を載置すると共に、前記スプリングの他端側に電池受け台を載置することによって、前記電池受け台が前記電池収納凹部内を前記開口部に対して往復動可能に設置され、前記電池受け台の互いに対向する一対の側壁を、前記筐体に揺動可能に設けた一対の爪片に係止することにより、前記電池受け台を２段階の位置に保持させるように構成して、前記電池収納凹部内において、互いにサイズの異なる大小の電池を、前記電池受け台と前記筐体に取外し可能に取着する電池保持板の間で挟着保持して前記電池収納凹部内に選択収納して、これら電池を前記筐体にそれぞれ取付けた端子板及び端子バネ間に電気的に接続保持可能に構成すると共に、前記端子バネにおける端子部を、互いにサイズの異なる大小の電池用として、それぞれ設置位置を異ならせて別々に設けたことを特徴とする電子機器における電池収納装置。
【請求項４】
前記電池保持板を、略額縁状に形成したことを特徴とする請求項３記載の電子機器における電子収納装置。
【発明の詳細な説明】
【０００１】
【産業上の利用分野】
本発明は、防災無線機器或いは携帯ラジオ等電子機器における電池収納装置に関する。
【０００２】
【従来の技術】
従来この種電子機器における電池収納装置は、例えば、図１０至図１２に示すようなものが知られている（類似したものとして、特開平６−３２５７９７号公報等がある）。
【０００３】
即ち、図に示すものは、電子機器のうち携帯ラジオを例としており、筐体１には、スピーカ２ａ、アンテナ２ｂ等のラジオ受信装置が配置されていると共に、筐体１の一部に、電池収納凹部３が形成されている。
【０００４】
この電池収納凹部３は、対向する側壁４，５（この例では、上下側壁）にそれぞれ端子板６、６と端子バネ７、７とが取り付けられており、この端子板６、６と端子バネ７、７との間に、それぞれ電池８、８を電気的に接続させて挿入し、端子バネ７、７の付勢力で電池８、８を端子板６、６側に押付けて収納している。
【０００５】
そして、電池収納凹部３の開口は、対向する他の側壁９、１０（この例では、左右側壁）にそれぞれ設けた係合部１１、１２に、蓋体１３の係止用爪部１４、１５を係合することによって、カバーされると共に、この蓋体１３及び筐体１が電池８、８を挟持している。
【０００６】
【発明が解決しようとする課題】
上記のような従来の電子機器における電池収納装置は、一のサイズの電池例えば単４電池のみを収納するように構成されており、他のサイズの電池例えば単３電池を収納しようとしても、収納できない構造となっていた。
【０００７】
しかしながら、災害用無線機や携帯ラジオ等の電子機器において、突然起こる災害時等にいざ使用としても、機器内の電池が長期間の放置等で切れてしまっていて、緊急に使用できない場合があり、このような場合、例えば、常時使用しているテレビジョンのリモコン等に入っている電池で代用したい場合があり、このような場合は、従来の電池収納装置には、サイズ違いで適用不可となってしまい、災害時における電子機器自体の使用を断念せざるを得ない場合が起こっていた。
【０００８】
本発明は、このような点を考慮して、サイズの異なる２種類の電池が使用できるようにした電子機器における電池収納装置を提供することを目的とする。
【０００９】
【課題を解決するための手段】
上記の目的に鑑み、本発明は、電子機器の筐体に開口部を有する電池収納凹部を形成し、電池収納凹部の底部にスプリングの一端側を載置すると共に、スプリングの他端側に電池受け台を載置することによって、電池受け台が電池収納凹部内を開口部に対して往復動可能に設置され、電池収納凹部内において、互いにサイズの異なる大小の電池を電池受け台上に載置することによって選択収納して、これら電池を筐体にそれぞれ取付けた端子板及び端子バネ間に電気的に接続保持可能に構成すると共に、端子バネにおける端子部を、互いにサイズの異なる大小の電池用として、それぞれ設置位置を異ならせて別々に設けた。
【００１０】
この結果、電池受け台を、電池収納凹部内において、筐体に対して移動させて、その配置位置を選択することにより、互いにサイズの異なる大小の電池を収納することができ、災害用無線機や携帯ラジオ等の電子機器において、突然起こる災害時等にいざ使用としても、機器内の電池が長期間の放置等で切れてしまっている場合も、例えば、常時使用しているテレビジョンのリモコン等に入っている電池で代用することができ、災害時における電子機器自体の使用を可能として、災害時等に備えることができる。
【００１１】
【発明の実施の形態】
本発明は、電子機器の筐体に開口部を有する電池収納凹部を形成し、電池収納凹部の底部にスプリングの一端側を載置すると共に、スプリングの他端側に電池受け台を載置することによって、電池受け台が電池収納凹部内を開口部に対して往復動可能に設置され、電池受け台の互いに対向する一対の側壁を、筐体に揺動可能に設けた一対の爪片に係止することにより、電池受け台を２段階の位置に保持させるように構成して、電池収納凹部内において、互いにサイズの異なる大小の電池を、電池受け台と筐体の開口部を覆うカバー体の間で挟着保持し電池収納凹部内に選択収納して、これら電池を筐体にそれぞれ取付けた端子板及び端子バネ間に電気的に接続保持可能に構成すると共に、端子バネにおける端子部を、互いにサイズの異なる大小の電池用として、それぞれ設置位置を異ならせて別々に設けた。
【００１２】
また、本発明は、電子機器の筐体に開口部を有する電池収納凹部を形成し、電池収納凹部の底部にスプリングの一端側を載置すると共に、スプリングの他端側に電池受け台を載置することによって、電池受け台が電池収納凹部内を開口部に対して往復動可能に設置され、電池受け台の互いに対向する一対の側壁を、筐体に揺動可能に設けた一対の爪片に係止することにより、電池受け台を２段階の位置に保持させるように構成して、電池収納凹部内において、互いにサイズの異なる大小の電池を、電池受け台と前記筐体に取外し可能に取着する電池保持板の間で挟着保持して電池収納凹部内に選択収納して、これら電池を筐体にそれぞれ取付けた端子板及び端子バネ間に電気的に接続保持可能に構成すると共に、前記端子バネにおける端子部を、互いにサイズの異なる大小の電池用として、それぞれ設置位置を異ならせて別々に設けた。
【００１３】
また、電池保持板を、略額縁状に形成して構成している。
【００１４】
また、前記端子バネにおける端子部を、互いにサイズの異なる大小の電池用として、それぞれ設置位置を異ならせて、別々に設けて構成している。
【００１５】
次に、本発明の実施の形態について、図面を参照しながら説明する。
【００１６】
図１乃至図５は、本発明の実施の形態を示す構成図である。
【００１７】
図において、２０は電子機器の一種である携帯ラジオを示しており、この携帯ラジオ２０は、略矩形状の筐体２１内外に、スピーカ２２ａやアンテナ２２ｂ等のラジオ受信装置を収納配置して構成されている。
【００１８】
そして、筐体２１の一部（この実施の形態では、正面側）を開口２３ａした電池収納凹部２３が形成されており、この電池収納凹部２３の底部に、凹所２３ｂを形成して、第１のスプリング４１の一端側が載置されている。
【００１９】
第１のスプリング４１の他端側は、２連の電池２８を抱持する一対の凹部３５、３５が前記開口２３ａ側に向かって形成された電池受け台３２が載置されており、この電池受け台３２の側壁３６、３７は、切欠き３６ａ、３７ａを形成すると共に、その先端側が互いに外向きに延在形成された第１の係止突起３３、３３となっている。また、電池受け台３２は、図１に示すように、その側壁３６、３７の上部に互いに外方に突出するガイド突起３９、３９を突設し、このガイド突起３９、３９をこれに対向するように筐体１に形成したガイド溝４０、４０にそれぞれ遊嵌して、開口２３ａに対して往復動（本実施の形態では、上下動）可能となっている。
【００２０】
前記第１の係止突起３３、３３は、電池収納凹部２３の一方の側壁（左側側壁及び右側側壁）２４、２５にピン４２、４２を中心に揺動可能に取り付けられた爪片４３、４４の切欠き係合部４３ａ、４４ａ内に挿入されて、この切欠き係合部４３ａ、４４ａ内に形成した係合凹部４３ｂ、４４ｂに係合するようになっている。そして、第１の係止突起３３、３３と切欠き係合部４３ａ、４４ａとの係合を解くことによって、電池受け台３２は前記第１のスプリング４１に抗して、或いは第１のスプリング４１の付勢力を下に、ガイド突起３９、３９がガイド溝４０、４０を摺動しながら、上下動できるようになっている。
【００２１】
爪片４３、４４は、その切欠き係合部４３ａ、４４ａの上壁に、電池収納凹部２３の内方側に突出する第２の係止突起４５、４５を形成し、この係止突起４５、４５は、電池受け台３２の切欠き３６ａ、３７ａの上壁に係合して、電池受け台３２を係止するようになっている。
【００２２】
前記電池収納凹部２３の底部外側に互いに離間して、一対の突起３８、３８を形成して、第２のスプリング４６、４６の一端が取付けられており、第２のスプリング４６、４６の他端は、爪片４３、４４に取り付けられおり、この第２のスプリング４６、４６は、爪片４３、４４をピン４２、４２を中心に、下端側を内向きに付勢して、第２の係止突起４５、４５と切欠き３６ａ、３７ａの上壁との係合状態を保持している。そして、係止突起４５、４５及び切欠き３６ａ、３７ａの上壁には、互いの係合状態を保持するように、リブ部４５ａ，４５ａ及び３６ｂ、３７ｂが形成されている。
【００２３】
４７は、電池収納凹部２３の開口２３ａをカバーするカバー体である蓋体で、蓋体４７は、図１に示すように、互いに対向する側壁４７ａ、４７ｂに同一方向に突出するようにそれぞれ形成された係合爪４８、４８をそれぞれ、電池収納凹部２３の左右側壁２４、２５に形成した係合穴４９、４９に係合させて、筐体２１に取外し可能に取り付けられている。
【００２４】
更に、電池収納凹部２３の互いに対向する他の側壁（この実施の形態では、上下側両側壁）１８、１９は、それぞれ、電池２８を電気的に接続して保持する一対の端子板２６、端子バネ２７が設けられている。
【００２５】
端子板２６は、バネ性の板材で形成され、電池２８を一端極側を抱持し、端子バネ２７は、電池２８の他端極側を抱持して、一端極側を端子板２６側に押し付けるように構成されており、図５に示すように、電池収納凹部２３の底部内側に形成した一対の溝５０内に挿入された第３のスプリング５１とこの第３のスプリング５１上に取付載置された端子片５２とから構成されており、この端子片５２は、その両側壁に一対の突起５３をそれぞれ形成して（図６を特に参照）、この突起５３を、溝５０の両側壁にそれぞれ形成した係合溝５４に係合して、端子片５２を上下動可能に係止している。
【００２６】
そして、図２に示すように、電池２８が比較的小さい例えば単４型電池の場合、第１のスプリング４１の付勢力で、電池受け台３２を上方に持ち上げて、爪片４３、４４の第２の係止突起４５、４５が電池受け台３２の切欠き３６ａ、３７ａの上壁に係合すると共に、爪片４３、４４の第１の係止突起３３、３３が切欠き係合部４３ａ、４４ａの係合凹部４３ｂ、４４ｂに係合して、電池受け台３２の凹部３５、３５を上限位置に保持して、電池２８を凹部３５、３５に抱持させており、この状態における電池２８は比較的小さい電池、例えば単４型電池である。
【００２７】
次に、電池２８として、単４型電池に代えて、単３型電池を使用する場合、図２の状態より、爪片４３、４４の上部に形成したアーム部４３ｃ、４４ｃを指で摘んで第２のスプリング４６、４６に抗して、爪片４３、４４の上端側を内方に押して、ピン４２を中心に回動させ、第２の係止突起４５、４５と切欠き３６ａ、３７ａの上壁との係合及び第１の係止突起３３、３３と係合凹部４３ｂ、４４ｂとの係合を解いて、電池受け台３２を押し下げると、図４の状態となった後、図３に示すように、第２のスプリング４６、４６の働きにより、電池受け台３２の上壁先部３２ａ、３２ａが切欠き３６ａ、３７ａの上壁に当接した状態（電池受け台３２の下限位置）となる。この状態では、電池受け台３２は、下限位置まで下がっている結果、電池２８として比較的大きめの電池、例えば、単３型電池を抱持することができる。
【００２８】
そして、電池２８の装填が終了すれば、蓋体４７を筐体２１に取付けて、電池２８が、電池収納凹部２３より飛び出ないように保持させると共に、開口２３ａを閉塞して、外部より電池収納凹部２３内が見えないように美装する。
【００２９】
なお、図４及び図５に示すように、端子バネ２７、２７の端子片５２、５２には、筐体２１の上下方向に、それぞれ一対の端子部５２ａ、５２ｂが取り付けられており、端子部５２ａは、電池２８が比較的小さい例えば単４型電池の他端極側と電気的接続し、端子部５２ｂは電池２８が比較的大きな例えば単３型電池の他端極側と電気的接続するようになっており、電池受け台３２の上下移動によって、電池２８の大きさによって、端子片５２、５２に電気的に接続ができなくならないように意図されている。
【００３０】
また、上記実施の形態においては、収容された電池２８は、蓋体４７のみによって、外部に飛び出さないようにしているが、これに限定されず、例えば、図７乃至図９に示すように、蓋体４７とは別に、例えば略額縁状に形成された電池保持板２９に、一対の凹部３０、３０を形成し、電池受け台３２側の凹部３５、３５と共に挟持し、係止爪３１、３１を筐体２１側に形成した係止穴（不図示）に係合して、蓋体４７と共に或いは蓋体４７に代えて、電池２８を抱持するようにすることが考えられ、電池２８が比較的小さい例えば単４型電池の場合、図８のように保持され、電池２８が比較的大きい例えば単３型電池の場合、図９のように保持されている。
【００３１】
【発明の効果】
以上、説明したように、本発明によれば、電子機器の筐体に開口部を有する電池収納凹部を形成し、電池収納凹部内の底部にスプリングの一端側を載置すると共に、スプリングの他端側に電池受け台を載置することによって、電池受け台が電池収納凹部内を開口部に対して往復動可能に設置され、電池収納凹部内において、互いにサイズの異なる大小の電池を電池受け台上に載置することによって選択収納して、これら電池を筐体にそれぞれ取付けた端子板及び端子バネ間に電気的に接続保持可能に構成したことから、電池受け台を、電池収納凹部内において、筐体に対して移動させて、その設置位置を選択することにより、互いにサイズの異なる大小の電池を収納することができ、災害用無線機や携帯ラジオ等の電子機器において、突然起こる災害時等にいざ使用としても、機器内の電池が長期間の放置等で切れてしまっている場合も、例えば、常時使用しているテレビジョンのリモコン等に入っている電池で代用することができ、災害時における電子機器自体の使用を可能として、災害時等に備えることができる。
【図面の簡単な説明】
【図１】本発明の実施の形態を示す分解斜視図
【図２】比較的小さな電池を収納した場合の図１の２−２断面図
【図３】比較的大きな電池を収納した場合の図１の２−２断面図
【図４】爪片の作動状態を示す図１の２−２断面図
【図５】図１における端子バネ周辺を拡大して示す斜視図
【図６】図５における端子バネを示す斜視図
【図７】本発明の他の実施の形態を示もので、（１）は分解斜視図、（２）は電池保持板の斜視図
【図８】比較的小さな電池を収納した場合の図７（１）の８−８断面図
【図９】比較的大きな電池を収納した場合の図７（１）の８−８断面図
【図１０】従来技術を示す分解斜視図
【図１１】図１０における１１−１１断面図
【図１２】図１０における１２−１２断面図
【符号の説明】
２０    携帯ラジオ（電子機器）
２１    筐体
２３    電池収納凹部
２６    端子板
２７    端子バネ
２８    電池
２９    電池保持板
３１    係止爪
３２    電池受け台
３３    第１の係止突起
４１    第１のスプリング
４５    第２の係止突起
４６    第２のスプリング
４７    蓋体（カバー体）
【図１】
0003555718.tif 000002
【図２】
0003555718.tif 000003
【図３】
0003555718.tif 000004
【図４】
0003555718.tif 000005
【図５】
0003555718.tif 000006
【図６】
0003555718.tif 000007
【図７】
0003555718.tif 000008
【図８】
0003555718.tif 000009
【図９】
0003555718.tif 000010
【図１０】
0003555718.tif 000011
【図１１】
0003555718.tif 000012
【図１２】
0003555718.tif 000013